(57)【要約】【解決手段】シェービングエイド部材３１が剃刀ヘッド８に対し初期位置から回動操作位置まで板ばね４０の弾性力に抗して所定範囲だけ回動する。シェービングエイド部材３１において、台部材３２の載置部３３と両腕部３７とのうち、載置部３３は剃刀ヘッド８に並ぶが、両腕部３７は剃刀ヘッド８の表側から見えない。そのため、剃刀ヘッド８の外周縁部の外側で両腕部３７が嵩張らない。【効果】シェービングエイド３８付き剃刀において、使用時の感触を良くすることができるとともに、剃刀ヘッド８とシェービングエイド部材３１とにより形取られる部分の表側面積を小さくしてコンパクトにすることができる。【選択図】図５
2008110113.tif 000002
【特許請求の範囲】
【請求項１】
刃体を有する剃刀ヘッドにシェービングエイド部材を取り付けた剃刀において、刃体の刃先が露出する剃刀ヘッドの表側に対し反対側になる裏側で、シェービングエイド部材を剃刀ヘッドに対し移動可能に支持する連結部を設けたことを特徴とする剃刀。
【請求項２】
前記連結部は、シェービングエイド部材においてシェービングエイドを載せる台部材に設けた腕部と、剃刀ヘッドの裏側に設けた支持部とを備え、この剃刀ヘッドの外周縁部で囲まれる裏面に面するようにこの腕部をこの支持部に対し移動可能に支持したことを特徴とする請求項１に記載の剃刀。
【請求項３】
前記シェービングエイド部材は、その移動方向の両側向きのうち一方の向きへ弾性体の弾性力により付勢されて停止する初期位置から他方の向きへ弾性体の弾性力に抗して移動させた移動操作位置までの所定移動範囲だけ移動し得ることを特徴とする請求項２に記載の剃刀。
【請求項４】
前記シェービングエイド部材の初期位置で台部材の腕部が弾性体の弾性力により移動するのを阻止する第一移動停止部を設けたことを特徴とする請求項３に記載の剃刀。
【請求項５】
前記シェービングエイド部材の移動操作位置で台部材の腕部が移動操作力により移動するのを阻止する第二移動停止部を設けたことを特徴とする請求項３または請求項４に記載の剃刀。
【請求項６】
前記シェービングエイド部材の初期位置で台部材の腕部が弾性体の弾性力により移動するのを阻止する第一移動停止部を設けるとともに、前記シェービングエイド部材の移動操作位置で台部材の腕部が移動操作力により移動するのを阻止する第二移動停止部を設け、このシェービングエイド部材において台部材の腕部の移動は回動であって、この腕部の回動中心線は第一移動停止部と第二移動停止部との間に位置していることを特徴とする請求項３に記載の剃刀。
【発明の詳細な説明】
【技術分野】
【０００１】
本発明は、刃体を有する剃刀ヘッドにシェービングエイドを設けた剃刀に関するものである。
【背景技術】
【０００２】
従来、下記特許文献１では、剃刀ヘッドの天板上にシェービングエイドが埋め込まれて露出している。しかし、シェービングエイドが剃刀ヘッドの天板上で固定状態となっているため、剃刀ヘッドを皮膚面に当てがった際、シェービングエイドが皮膚面を必要以上の力で押え、使用時の感触が悪くなるおそれがあった。
【０００３】
そこで、図８に示す剃刀(特願２００５−２６２４８４参照)が提案されている。この剃刀においては、シェービングエイド３８を載せる台部材３２を備えたシェービングエイド部材３１が剃刀ヘッド８のガード１４に対する反対側で並ぶように配設されている。この台部材３２は、剃刀ヘッド８に対し刃体１１の刃先１１ａの延設方向Ｙの両側で並ぶように配設された腕部３７を有し、この両腕部３７で剃刀ヘッド８に対し回動可能に支持されている。従って、剃刀ヘッド８及びシェービングエイド部材３１を皮膚面に当てがった際、シェービングエイド部材３１を適度な弾力により皮膚面に当てがうことができ、使用時の感触を良くすることができる。
【特許文献１】特開２００１−３８０７２号公報
【発明の開示】
【発明が解決しようとする課題】
【０００４】
しかし、このような剃刀において、刃先１１ａの延設方向Ｙに沿った最大横寸法Ｗは、剃刀ヘッド８の横寸法に両腕部３７の横寸法を加えたものとなるため、剃刀ヘッド８とシェービングエイド部材３１とにより形取られる部分の表側面積が大きくなる。
【０００５】
この発明は、シェービングエイド付き剃刀において、使用時の感触を良くすることができるばかりではなく、剃刀ヘッドとシェービングエイド部材とにより形取られる部分の表側面積を小さくしてコンパクトにすることを目的としている。
【課題を解決するための手段】
【０００６】
後記実施形態の図面（図１〜７）の符号を援用して本発明を説明する。
請求項１の発明にかかる剃刀においては、刃体１１を有する剃刀ヘッド８にシェービングエイド部材３１を取り付け、刃体１１の刃先１１ａが露出する剃刀ヘッド８の表側に対し反対側になる裏側で、シェービングエイド部材３１を剃刀ヘッド８に対し移動可能に支持する連結部２４，３７を設けている。その移動は回動以外にも平行移動も含む。請求項１の発明では、剃刀ヘッド８の裏側で連結部２４，３７を設けたので、剃刀ヘッド８の外周縁部の外側で連結部２４，３７が嵩張ることはなくなり、剃刀ヘッド８とシェービングエイド部材３１とにより形取られる部分の表側面積を小さくして剃刀をコンパクトにすることができる。
【０００７】
請求項１の発明を前提とする請求項２の発明にかかる連結部は、シェービングエイド部材３１においてシェービングエイド３８を載せる台部材３２に設けた腕部３７と、剃刀ヘッド８の裏側に設けた支持部２４とを備え、この剃刀ヘッド８の外周縁部で囲まれる裏面に面するようにこの腕部３７をこの支持部２４に対し移動可能に支持している。請求項２の発明では、剃刀ヘッド８の裏側の支持部２４に対しシェービングエイド部材３１の腕部３７を支持して剃刀ヘッド８の裏面に面して配置したので、剃刀ヘッド８の外周縁部の外側で支持部２４及び腕部３７が嵩張ることはなくなり、剃刀ヘッド８とシェービングエイド部材３１とにより形取られる部分の表側面積を小さくして剃刀をコンパクトにすることができる。
【０００８】
請求項２の発明を前提とする請求項３の発明において、前記シェービングエイド部材３１は、その移動方向Ｒの両側向きのうち一方の向きＲＦへ弾性体４０の弾性力により付勢されて停止する初期位置Ａから他方の向きＲＢへ弾性体４０の弾性力に抗して移動させた移動操作位置Ｂまでの所定移動範囲だけ移動し得る。請求項３の発明では、シェービングエイド部材３１が初期位置Ａから弾性体４０の弾性力に抗して所定移動範囲だけ移動するので、剃刀ヘッド８及びシェービングエイド部材３１を皮膚面に当てがった際、シェービングエイド部材３１を適度な弾力により皮膚面に当てがうことができる。特に、皮膚面に起伏がある場合にはその起伏にシェービングエイド部材３１を追従させることができる。
【０００９】
請求項３の発明を前提とする請求項４の発明において、前記シェービングエイド部材３１の初期位置Ａで台部材３２の腕部３７が弾性体４０の弾性力により移動するのを阻止する第一移動停止部４３，４４を設けている。請求項４の発明では、弾性体４０の弾性力を第一移動停止部４３，４４により受けて台部材３２の腕部３７を初期位置Ａで保持することができる。
【００１０】
請求項３または請求項４の発明を前提とする請求項５の発明において、前記シェービングエイド部材３１の移動操作位置Ｂで台部材３２の腕部３７が移動操作力により移動するのを阻止する第二移動停止部４５，４６を設けている。請求項５の発明では、台部材３２の腕部３７に対する移動操作力を第二移動停止部４５，４６で受けることにより、初期位置Ａから移動させた台部材３２の腕部３７を移動操作位置Ｂで停止させることができる。
【００１１】
請求項３の発明を前提とする請求項６の発明においては、前記シェービングエイド部材３１の初期位置Ａで台部材３２の腕部３７が弾性体４０の弾性力により移動するのを阻止する第一移動停止部４３，４４を設けるとともに、前記シェービングエイド部材３１の移動操作位置Ｂで台部材３２の腕部３７が移動操作力により移動するのを阻止する第二移動停止部４５，４６を設けている。このシェービングエイド部材３１において台部材３２の腕部３７の移動は回動であって、この腕部３７の回動中心線４１ａは第一移動停止部４３，４４と第二移動停止部４５，４６との間に位置している。請求項６の発明では、弾性体４０の弾性力を第一移動停止部４３，４４により受けて台部材３２の腕部３７を初期位置Ａで保持することができるとともに、台部材３２の腕部３７に対する移動操作力を第二移動停止部４５，４６で受けることにより、初期位置Ａから回動させた台部材３２の腕部３７を移動操作位置Ｂで停止させることができる。その際、腕部３７の回動中心線４１ａが第一移動停止部４３，４４と第二移動停止部４５，４６との間に位置しているので、第一移動停止部４３，４４及び第二移動停止部４５，４６を簡単に設けることができる。
【００１２】
次に、請求項以外の技術的思想について実施形態の図面の符号を援用して説明する。
請求項１から請求項５のうちいずれかの請求項の発明を前提とする第７の発明にかかるシェービングエイド部材３１において台部材３２の腕部３７の移動は回動である。
【００１３】
請求項５または請求項６の発明を前提とする第８の発明において、前記第二移動停止部は、剃刀ヘッド８の裏面に設けた当接面４６と台部材３２の腕部３７に設けた当接面４５との間に移動許容間隙４７を有している。第８の発明では、この移動許容間隙４７により腕部３７を初期位置Ａから移動操作位置Ｂまで移動させることができる。
【００１４】
請求項１から請求項６のうちいずれかの請求項の発明、または第７の発明または第８の発明を前提とする第９の発明において、前記連結部２４，３７は剃刀ヘッド８の裏側で刃体１１の刃先１１ａの延設方向Ｙの両側に配設されている。
【００１５】
第９の発明を前提とする第１０の発明において、前記弾性体４０はシェービングエイド部材３１の台部材３２に設けられている。
第１０の発明を前提とする第１１の発明において、前記弾性体４０は前記台部材３２で両連結部の腕部３７間に設けられている。
【００１６】
請求項６の発明を前提とする第１２の発明において、前記シェービングエイド部材３１は刃体１１の刃先１１ａの延設方向Ｙに沿う回動中心線４１ａを中心に剃刀ヘッド８に対し初期位置Ａと回動操作位置Ｂとの間の所定回動範囲内で揺動可能に支持されている。第１２の発明では、剃刀ヘッド８及びシェービングエイド部材３１を皮膚面に当てがった際、シェービングエイド部材３１を皮膚面に対し平均的に当てがうことができる。
【００１７】
請求項６の発明または第１２の発明を前提とする第１３の発明において、前記剃刀ヘッド８はその裏側に設けた取付部２１でホルダ１に支持され、その取付部２１は前記両連結部の支持部２４間に設けられている。第１３の発明では、剃刀ヘッド８の裏側で両連結部の支持部２４をホルダ１を支持する取付部２１とともに設けることができる。
【００１８】
第１２の発明を前提とする第１４の発明にかかる剃刀ヘッド８は、その裏側で刃体１１の刃先１１ａの延設方向Ｙの両側に配設した取付部２１において刃体１１の刃先１１ａの延設方向Ｙに沿う回動中心線２８ａを中心にホルダ１に対し回動可能に支持され、その剃刀ヘッド８の回動中心線２８ａを有する取付部２１と前記シェービングエイド部材３１の回動中心線４１ａを有する連結部２４，３７とを刃体１１の刃先１１ａの延設方向Ｙで互いに並設した。第１４の発明では、取付部２１と連結部２４，３７とを剃刀ヘッド８の裏側でコンパクトに設けることができる。
【００１９】
請求項１から請求項６のうちいずれかの請求項の発明、または第７の発明または第８の発明または第９の発明または第１０の発明または第１１の発明または第１２の発明または第１３の発明または第１４の発明を前提とする第１５の発明にかかる剃刀ヘッド８においては、刃体１１を設けた組付部材９，１０にガード１４をこの刃体１１の刃先１１ａに面して設け、前記シェービングエイド部材３１は剃刀ヘッド８の組付部材９，１０に対しガード１４に対する反対側で並ぶように配設されている。第１５の発明では、シェービングエイド部材３１を剃刀ヘッド８に対しコンパクトに配置することができるとともに、剃刀の使い勝手が良くなる。
【００２０】
第１５の発明を前提とする第１６の発明にかかる組付部材においては、刃台９と天板１０との間に刃体１１を設けてこの刃体１１の刃先１１ａを天板１０の表側へ露出させ、シェービングエイド部材３１においては初期位置Ａでシェービングエイド３８がこのガード１４と天板１０とを結ぶ皮膚接触面Ｈから天板１０の表側へ突出している。第１６の発明では、剃刀ヘッド８及びシェービングエイド部材３１を皮膚面に当てがうと、その皮膚面にシェービングエイド３８が接触した後、剃刀ヘッド８の刃体１１が皮膚面に当てがわれる。そのため、シェービングエイド３８が使用により減ってもシェービングエイド３８を皮膚面に対し確実に接触させることができる。
【００２１】
請求項２または請求項３の発明を前提とする第１７の発明において、前記腕部３７は前記剃刀ヘッド８の裏面の範囲の内側でその裏面に重ねられて配置されている。第１７の発明では、腕部３７を剃刀ヘッド８の外周縁部の内側に配置して剃刀ヘッド８の表側から見えないようにすることができる。
【発明の効果】
【００２２】
本発明は、シェービングエイド３８付き剃刀において、使用時の感触を良くすることができるとともに、剃刀ヘッド８とシェービングエイド部材３１とにより形取られる部分の表側面積を小さくしてコンパクトにすることができる。
【発明を実施するための最良の形態】
【００２３】
以下、本発明の一実施形態にかかる首振り式剃刀について図面を参照して説明する。
図１（ａ）（ｂ）及び図４（ａ）（ｂ）に示すように、プラスチックにより成形されたホルダ１においては、金属からなる左右両支持アーム３とプラスチックからなる二股状のプッシャ４とが頭部２の前端部の左右両側から突出している。この左右両支持アーム３は、左右方向Ｙへ回動可能に支持され、頭部２の外側へ突出する外腕部５を有している。この左右両支持アーム３の外腕部５には鉤状端部５ａが左右方向Ｙで相対向して形成されている。このプッシャ４は、頭部２に対し前後方向Ｘへ移動可能に支持され、左右両支持アーム３の外腕部５の付近で頭部２の外側へ突出する外腕部６を有している。このプッシャ４の左右両外腕部６には圧接端部６ａが形成されている。この頭部２から露出する操作摘み７を非操作状態から弾性力に抗して前方へ押すと、左右両支持アーム３の外腕部５が最閉状態から互いに開く。この操作摘み７から手を離すと、操作摘み７が非操作状態に戻るとともに、左右両支持アーム３の外腕部５が最閉状態に戻る。この左右両支持アーム３の外腕部５とプッシャ４の左右両外腕部６とは上下方向Ｚで互いに隣接して並んでいる。
【００２４】
図１（ａ）（ｂ）並びに図２（ａ）（ｂ）（ｃ）（ｄ）及び図５（ａ）（ｂ）に示す剃刀ヘッド８においては、プラスチックからなる組付部材としての刃台９と天板１０との間で複数（例えば４枚）の刃体１１が挟着されている。
【００２５】
前記天板１０は、枠状をなし、上枠部１２と、この上枠部１２の左右両側から連続する左右両枠部１３と、この左右両枠部１３間で形成されたガード１４（下枠部）とを有している。この上枠部１２と左右両枠部１３とガード１４との間で囲まれた窓孔１５においては各刃体１１の刃先１１ａが表側に露出してガード１４に面している。このガード１４の表面側にはシェービングエイドがインサート射出成形により一体に設けられている。この左右両枠部１３において左右方向Ｙの内縁部１３ａと外縁部１３ｂとのうち左右両内縁部１３ａ間の間隔と左右両外縁部１３ｂ間の間隔とはそれぞれガード１４側から上枠部１２側へ向かうに従い次第に広がり、この窓孔１５において各刃体１１の刃先１１ａの露出寸法がガード１４側よりも上枠部１２側で大きくなる。そのため、ガード１４に近い刃先１１ａで剃り残した左右両側部分をガード１４から遠い刃先１１ａで剃り直して剃り残しを防止することもできる。
【００２６】
前記刃台９は、枠状をなし、前記天板１０の上枠部１２に重なる上枠部１６と、前記天板１０の左右両枠部１３に重なる左右両枠部１７と、前記天板１０のガード１４に重なる下枠部１８と有している。この上枠部１６と左右両枠部１７と下枠部１８との間で囲まれた排除孔１９においては、前記各刃体１１を弾性的に載置する台座２０が露出し、この台座２０はそれに設けたばねにより剃刀の使用時に各刃体１１に与えられる力に応じて撓むようにクッション機能を果たす。
【００２７】
前記剃刀ヘッド８の表側に対し反対側になる裏側で前記刃台９の左右両枠部１７には左右方向Ｙ（刃先１１ａの延設方向）の両側で取付部２１が形成されている。この左右両取付部２１においては、図２（ｂ）（ｃ）（ｄ）、図５（ｂ）及び図７（ａ）（ｂ）（ｃ）に示すように、上壁部２２と左右方向Ｙの両側壁部２３，２４と下壁部２５との間で囲まれた凹部２６が形成されている。この凹部２６の入口２６ａ付近で両側壁部２３，２４の内面には凹部２６の底部側へ傾斜する案内面２７が形成されている。この左右両取付部２１の両側壁部２３，２４のうち左右方向Ｙで互いに面する両側壁部２３には凹部２６の底部で取付孔２８が形成され、この左右両取付孔２８を結ぶ回動中心線２８ａは左右方向Ｙ（刃先１１ａの延設方向）に沿う。この凹部２６の入口２６ａ付近で上壁部２２及び下壁部２５の内面には凹部２６側に向く矢印２９が表示されている。この凹部２６の入口２６ａ付近で上壁部２２の内面には押圧部３０が形成されている。
【００２８】
図１（ａ）（ｂ）並びに図３（ａ）（ｂ）（ｃ）及び図５（ａ）（ｂ）に示すシェービングエイド部材３１において、プラスチックからなる台部材３２は、枠部３４間に裏蓋３５を嵌め込んで表側に凹所３６を形成した載置部３３と、この載置部３３の左右両側で枠部３４から突出する両腕部３７とを有している。この凹所３６にシェービングエイド３８が嵌め込まれて載せられている。このシェービングエイド３８は、例えば質量約２．５ｇのアルカリ性石鹸である。なお、凹所３６の上下両側で枠部３４及びシェービングエイド３８には、枠部３４内に裏側からシェービングエイド３８を嵌め込んだ際に、シェービングエイド３８が枠部３４から表側へ抜けないように互いに合致し得る傾斜面（図示せず）が形成され、枠部３４間に嵌め込んだ裏蓋３５とシェービングエイド３８との間に接着剤を塗布した状態で、裏蓋３５が枠部３４に溶着される。この枠部３４の傾斜面には、シェービングエイド３８の傾斜面にくい込む多数の突起を形成したり、シボ加工等により平滑でない粗面を形成してシェービングエイド３８の傾斜面との間の摩擦抵抗を大きくするようにしたりしてもよい。
【００２９】
前記台部材３２においては、左右両腕部３７の相対向面側で左右両腕部３７の先端部付近に支軸３９が形成され、この左右両腕部３７間で載置部３３の枠部３４に片持ち梁状の弾性体としての左右両板ばね４０が左右両腕部３７に隣接して一体に湾曲形成されている。この板ばね４０を直線的に延設させてもよい。左右両板ばね４０のうち一方のものを省略してもよい。なお、弾性体としては板ばね４０以外のばねであってもよい。この台部材３２の左右方向Ｙの寸法は約４４ｍｍである。このシェービングエイド３８の左右方向Ｙの寸法は約３４ｍｍである。このシェービングエイド３８の表面で左右方向Ｙに対し直交する方向における幅は、左右方向Ｙの中央部で最も広くなっており、約８ｍｍである。このシェービングエイド３８はこの台部材３２の表面から高さ約８ｍｍだけ突出している。このシェービングエイド３８とは、例えば、前記石鹸やシェービングクリームや潤滑性助長剤やひげ軟化剤や乳液や薬剤や発毛抑制剤や脱毛剤やアフターローションや保湿剤や止血剤などの単独物ばかりでなく、これらの単独物を互いに組み合わせた複合物や、この単独物または複合物をスポンジなどの多孔質体に含ませた含有物である。
【００３０】
図５（ａ）（ｂ）に示すように、前記シェービングエイド部材３１において台部材３２の載置部３３とそれに載置されたシェービングエイド３８とは、剃刀ヘッド８の上枠部１２，１６に対し剃刀ヘッド８のガード１４及び下枠部１８に対する反対側で並ぶように配設されている。その場合、天板１０の上枠部１２が載置部３３の枠部３４側へ曲率半径約２００ｍｍの凸状に形成されているとともに、この枠部３４で上枠部１２との重合部が隙間Ｇ（約０．５ｍｍ）をあけて凸状上枠部１２に合わせた凹状に形成され、天板１０の左右両枠部１３における左右両外縁部１３ｂ間の最大間隔（左右方向Ｙの最大横寸法Ｗ）が上枠部１２との重合部における枠部３４の最大間隔と一致している。この台部材３２の左右両腕部３７は剃刀ヘッド８の裏側で刃台９の左右両枠部１７に対し左右両取付部２１に隣接して重ねられ、この左右両取付部２１がこの左右両腕部３７間に配設されている。図２（ｃ）及び図７（ｂ）に示すように、この左右両腕部３７に隣接する左右両取付部２１の側壁部２４には左右方向Ｙへ延びる支持孔４１が形成されている。この左右両支持孔４１を結ぶ回動中心線４１ａは前記左右両取付孔２８間の回動中心線２８ａの近隣でその回動中心線２８ａと平行に左右方向Ｙ（刃先１１ａの延設方向）に沿い、左右両腕部３７のつけ根からこの回動中心線４１ａまでの距離Ｓが約７ｍｍになっている。この左右両腕部３７（連結部）の支軸３９はこの左右両側壁部２４（連結部としての支持部）の支持孔４１に対し回動可能に挿嵌されている。前記左右両取付部２１で上壁部２２から延設された圧接板部４２には前記台部材３２の左右両板ばね４０が当てがわれている。そのため、シェービングエイド部材３１は剃刀ヘッド８に対しその表側と裏側とを結ぶ方向で揺動するように左右両支持孔４１間の回動中心線４１ａを中心に回動可能に支持される。左右両腕部３７の基端部とそれに面する左右両枠部１７とには第一移動停止部としての当接面４３，４４が相対向して形成されている。左右両腕部３７の先端部とそれに面する左右両枠部１７とには第二移動停止部としての当接面４５，４６が相対向して形成されている。左右両腕部３７側の当接面４５は左右両枠部１７側の当接面４６に対し傾斜し、それらの当接面４５，４６間には回動許容間隙４７が形成されている。前記左右両支持孔４１間の回動中心線４１ａは第一移動停止部としての当接面４３，４４と第二移動停止部としての当接面４５，４６との間に配置されている。
【００３１】
前記左右両支持アーム３を互いに開いた状態でそれらの外腕部５を前記刃台９の左右両取付部２１の凹部２６に入口２６ａから矢印２９の向きへ挿入した後、左右両支持アーム３を最閉状態にすると、図６（ａ）に示すように、剃刀ヘッド８がホルダ１の頭部２に対し首振り可能に支持された取付状態となる。その際、プッシャ４の左右両外腕部６の矢印６ｂをこの矢印２９に合わせれば、左右両支持アーム３を凹部２６に挿入する位置の目安になる。この取付状態では、図７（ａ）（ｂ）（ｃ）に示すように、この左右両外腕部５の鉤状端部５ａが左右両取付部２１の取付孔２８に挿入されて支持されるとともに、前記プッシャ４の左右両外腕部６の圧接端部６ａが左右両取付部２１の押圧部３０に対し矢印６ｂの向きへ圧接され、この左右両取付孔２８間の回動中心線２８ａを中心に剃刀ヘッド８がシェービングエイド部材３１とともに首振り方向Ｑへ揺動し得る。図２（ａ）（ｂ）（ｃ）（ｄ）、図５（ａ）（ｂ）及び図６（ａ）に示すように、剃刀ヘッド８に対するシェービングエイド部材３１の回動中心線４１ａは、左右両取付孔２８間の回動中心線２８ａよりも天板１０の上枠部１２側に位置し、天板１０でガード１４上と上枠部１２上とを結ぶ皮膚接触面Ｈよりも裏側で且つそのガード１４よりも上枠部１２側に位置している。また、この回動中心線４１ａは、ガード１４と上枠部１２との間にあって、ガード１４に最も近い刃先１１ａと上枠部１２に最も近い刃先１１ａとの間にある。
【００３２】
図６（ａ）に示すように、台部材３２の左右両板ばね４０が左右両取付部２１の圧接板部４２に支えられた状態で、シェービングエイド部材３１は、その左右両板ばね４０により剃刀ヘッド８の裏側から表側へすなわち回動方向Ｒの両側向きＲＦ，ＲＢのうち一方の向きＲＦへ付勢される。そして、左右両腕部３７が刃台９の左右両枠部１７に重ねられたところで、前記第一移動停止部としての当接面４３，４４が互いに当接して停止する初期位置Ａとなる。その初期位置Ａでは、シェービングエイド３８が前記皮膚接触面Ｈから表側へ突出する。
【００３３】
図６（ｂ）に示すように、使用時、このシェービングエイド部材３１は、その初期位置Ａから左右両板ばね４０の弾性力に抗して剃刀ヘッド８の表側から裏側へすなわち回動方向Ｒの両側向きＲＦ，ＲＢのうち他方の向きＲＢへ前記第二移動停止部としての当接面４５，４６間の回動許容間隙４７により回動する。そして、シェービングエイド部材３１は、第二移動停止部としての当接面４５，４６が互いに当接する回動操作位置Ｂで停止し、前記初期位置Ａからこの回動操作位置Ｂまでの所定回動範囲内で剃刀ヘッド８に対し揺動し得る。その所定回動範囲におけるシェービングエイド部材３１の振り角については、０〜６０°好ましくは０〜４５°に設定されている。使用時にシェービングエイド３８が減って台部材３２の表面からの高さが低くなった場合には、図６（ｃ）に示すように、そのシェービングエイド３８の表面が皮膚面に当てがわれる。使用時にシェービングエイド３８が台部材３２の表面付近まで減った場合、例えば、シェービングエイド３８の表面の一部が台部材３２の表面に達した場合、剃刀ヘッド８及びシェービングエイド部材３１の交換の目安にすることができる。
【００３４】
剃刀ヘッド８を圧接するプッシャ４に対する弾性力や、シェービングエイド部材３１に対する板ばね４０の弾性力は、種々設定することができる。例えば、プッシャ４に対する弾性力は板ばね４０の弾性力よりも大きく設定されている。そのため、剃刀ヘッド８及びシェービングエイド部材３１を皮膚面に当てがうと、シェービングエイド部材３１が剃刀ヘッド８に対し前記初期位置Ａから回動し始めた後に前記回動操作位置Ｂまたはその回動操作位置Ｂに至る途中位置で剃刀ヘッド８と一体的に回動し、剃刀ヘッド８がシェービングエイド部材３１とともに首振り方向Ｑへ揺動する。
【００３５】
また、前記左右両支持アーム３を互いに開いた状態でそれらの外腕部５を前記左右両取付部２１の凹部２６から抜くと、剃刀ヘッド８をホルダ１の頭部２から取り外すことができる。ちなみに、前記左右両支持アーム３については、操作摘み７を押してもすぐには開動せず、操作摘み７が不用意に押されて剃刀ヘッド８がホルダ１の頭部２から取り外されることを防止するため、操作摘み７をある程度押すと開くようになっている。
【００３６】
本実施形態は下記の効果を有する。
＊  シェービングエイド部材３１が剃刀ヘッド８に対し初期位置Ａから回動操作位置Ｂまで板ばね４０の弾性力に抗して所定範囲だけ回動するので、シェービングエイド部材３１を適度な弾力により皮膚面に当てがって使用時の感触を良くすることができる。
【００３７】
＊  シェービングエイド部材３１において、台部材３２の載置部３３と両腕部３７とのうち、載置部３３は剃刀ヘッド８に並ぶが、両腕部３７は剃刀ヘッド８の裏面の範囲の内側でその裏面に重ねられて配置されて剃刀ヘッド８の表側から見えない。そのため、剃刀ヘッド８の外周縁部の外側で両腕部３７が嵩張らず、剃刀において刃先１１ａの延設方向Ｙに沿った最大横寸法Ｗは、剃刀ヘッド８の横寸法のみにより決まる。従って、剃刀ヘッド８とシェービングエイド部材３１とにより形取られる部分の表側面積が小さくなって剃刀がコンパクトになる。
【００３８】
＊  シェービングエイド部材３１は剃刀ヘッド８に対しガード１４に対する反対側で並ぶように配設されているので、シェービングエイド部材３１を剃刀ヘッド８に対しコンパクトに配置することができるとともに、剃刀の使い勝手が良くなる。さらに、回動中心線４１ａに対するシェービングエイド３８の回動半径が大きくなるため、シェービングエイド３８の振り角を小さくすることができる。
【００３９】
前記実施形態以外にも下記のように構成してもよい。
・  シェービングエイド部材３１における台部材３２と剃刀ヘッド８の刃台９とを剃刀ヘッド８の裏側において一体成形して連結部で互いにつなぎ、その連結部を剃刀ヘッド８に対するシェービングエイド部材３１の回動中心部とする。
【００４０】
・  ホルダ１の頭部２に対し剃刀ヘッド８を一体に設けた剃刀において、その剃刀ヘッド８にシェービングエイド部材３１を回動可能に支持する。
・  前述した実施形態では、シェービングエイド部材３１の台部材３２の載置部３３を剃刀ヘッド８に対しガード１４に対する反対側で並ぶように配設したが、その載置部を剃刀ヘッド８に対しガード１４側で並ぶように配設したり左右方向Ｙの両側で並ぶように配設する。
【００４１】
・  シェービングエイド部材３１を剃刀ヘッド８に対し着脱可能にして交換できるようにする。
・  シェービングエイド部材３１の台部材３２または剃刀ヘッド８の刃台９や天板１０に対し左右方向Ｙの中央部で一つの板ばね４０を一体に形成してその板ばね４０によりシェービングエイド部材３１を付勢する。また、それらに対し三つ以上の板ばね４０を左右方向Ｙへ並設する。
【００４２】
・  シェービングエイド３８については固形状でも液状でも半液状でもよい。固形状の場合にはそのままシェービングエイド３８を台部材３２に取着する。液状や半液状の場合には軟質または硬質の多孔質体、例えばスポンジや軽石や繊維構造である四フッ化エチレン樹脂などの多孔質体にシェービングエイド３８を含浸させたものを台部材３２に取着する。これらの多孔質体については形状の維持できるものが好ましい。この多孔質体の孔径については、種々設定できるが、０．０１〜５０μｍが好ましい。
【００４３】
・  台部材３２に対しシェービングエイド３８をインサート射出成形により一体に設けたり、固形状のシェービングエイド３８や上記の多孔質体を台部材３２と分離して設けた後にそれらを台部材３２に取着する。
【００４４】
・  シェービングエイド部材３１において台部材３２に対し回転可能に支持したローラの外周にシェービングエイド３８を設ける。
・  剃刀ヘッド８及びシェービングエイド部材３１にキャップを被せて刃体１１及びシェービングエイド３８を保護する。
【００４５】
・  前記実施形態の首振り式剃刀は主に手足の体毛剃りに使用するが、髭剃りに使用することもできる。
【図面の簡単な説明】
【００４６】
【図１】（ａ）は本実施形態にかかる首振り式剃刀において表側を示す斜視図であり、（ｂ）は同じく裏側を示す斜視図である。
【図２】（ａ）は上記首振り式剃刀において剃刀ヘッドの表側を示す正面図であり、（ｂ）は同じく裏側を示す背面図であり、（ｃ）は同じく側面図であり、（ｄ）は同じく（ｂ）を底面側から見た部分断面図である。
【図３】（ａ）は上記首振り式剃刀においてシェービングエイド部材の表側を示す正面図であり、（ｂ）は同じく裏側を示す背面図であり、（ｃ）は同じく一部切欠き側面図である。
【図４】（ａ）は上記首振り式剃刀においてホルダの頭部を示す平面図であり、（ｂ）は同じく側面図である。
【図５】（ａ）は上記首振り式剃刀においてシェービングエイド部材を支持した剃刀ヘッドの表側を示す正面図であり、（ｂ）は同じく裏側を示す背面図である。
【図６】（ａ）は上記首振り式剃刀においてホルダの頭部に支持した剃刀ヘッドでシェービングエイド部材が初期位置にある状態を示す側面図であり、（ｂ）は同じく回動操作位置にある状態を示す側面図であり、（ｃ）は同じく初期位置と回動操作位置との間の途中状態を示す側面図である。
【図７】（ａ）は上記首振り式剃刀において両支持アームに対する剃刀ヘッドの支持構造と剃刀ヘッドに対するプッシャの圧接構造を示す部分背面図であり、（ｂ）は同じく（ａ）を背面側から見た部分断面図であり、（ｃ）は同じく（ａ）を側面側から見た部分断面図である。
【図８】従来の首振り式剃刀においてシェービングエイド部材を支持した剃刀ヘッドの表側を示す正面図である。
【符号の説明】
【００４７】
８…剃刀ヘッド、１１…刃体、１１ａ…刃先、２４…剃刀ヘッド側の連結部である支持部としての側壁部、３１…シェービングエイド部材、３２…台部材、３７…シェービングエイド部材側の連結部としての腕部、３８…シェービングエイド、４０…弾性体としての板ばね、４１ａ…シェービングエイド部材の回動中心線、４３，４４…第一移動停止部としての当接面、４５，４６…第二移動停止部としての当接面、Ａ…初期位置、Ｂ…回動操作位置、Ｒ…回動方向。
【図１】
2008110113.tif 000003
【図２】
2008110113.tif 000004
【図３】
2008110113.tif 000005
【図４】
2008110113.tif 000006
【図５】
2008110113.tif 000007
【図６】
2008110113.tif 000008
【図７】
2008110113.tif 000009
【図８】
2008110113.tif 000010